(57)【要約】【課題】仮想ネットワークとその下位レイヤのネットワークとの関連を管理し、ネットワーク運用構成を表示する仮想ネットワーク運用状況表示装置に関し、上位及び下位のレイヤのネットワーク構成を一目で把握可能なように、また、障害発生時に障害の影響の及ぶ範囲を容易に判別可能なように表示する。【解決手段】運用状況表示部１−１は、上位レイヤネットワークの運用状況を３次元表示イメージで、下位レイヤネットワークの運用状況を２次元表示イメージで、同一表示部の３次元表示画面上に表示する。ネットワーク障害の発生又は復旧時、ネットワーク構成の変更を障害管理部１−３から通知を受けたとき、又はネットワーク構成の変更を構成情報管理部１−４から通知を受けたとき、ネットワークの表示イメージの該当する構成部分を更新する。また、上位レイヤ及び下位レイヤで障害の影響の及ぶ関連ネットワーク要素同士を強調表示する。【選択図】      図１
2004222105.tif 000002
【特許請求の範囲】
【請求項１】
下位レイヤのネットワークの構成情報と上位レイヤのネットワークの構成情報とを保持する構成情報保持手段と、
該構成情報に基づいて下位レイヤのネットワーク構成を２次元平面のマップ上に配置したイメージで表示し、上位レイヤのネットワークの構成を３次元空間に配置したイメージで表示し、該下位レイヤ及び上位レイヤのネットワーク構成を、同一の３次元空間を表示する表示画面上に混在させて表示し、かつ、下位レイヤの各ネットワーク要素と上位レイヤの各ネットワーク要素との間で、相互に関連するネットワーク要素同士を、前記表示画面上で連結線により連結して表示するネットワーク構成表示手段と、
を備えたことを特徴とする仮想ネットワーク運用状況表示装置。
【請求項２】
前記下位レイヤのネットワーク要素の障害を検出したとき、該障害の影響が及ぶ前記上位レイヤのネットワーク要素との間の連結線を、他の連結線と異なる色に変化させ、又は点滅させて表示する手段を備えたことを特徴とする請求項１に記載の仮想ネットワーク運用状況表示装置。
【請求項３】
前記表示画面上の下位レイヤの各ネットワーク要素及び上位レイヤの各ネットワーク要素のうち、ポインティングデバイスのカーソルにより選択された任意のネットワーク要素に対して、該ネットワーク要素に関連する対向側レイヤのネットワーク要素を、他のネットワーク要素の表示と異なる態様で表示する手段を備えたことを特徴とする請求項１に記載の仮想ネットワーク運用状況表示装置。
【請求項４】
前記表示画面上の上位レイヤの各ネットワーク要素のうち、ポインティングデバイスのカーソルにより選択された任意のネットワーク要素に対して、該ネットワーク要素に関連する下位レイヤのネットワーク要素を、元々の表示色より暗い色を用いて表示する手段を備えたことを特徴とする付記１に記載の仮想ネットワーク運用状況表示装置。
【請求項５】
前記２次元平面のマップ上に配置した下位レイヤのネットワーク構成のイメージデータを予め作成し保持しておく手段を備え、前記ネットワーク構成表示手段は、該保持された下位レイヤのネットワーク構成のイメージデータを用いて、下位レイヤ及び上位レイヤのネットワーク構成を前記表示画面上に混在させて表示することを特徴とする請求項１乃至４の何れかに記載の仮想ネットワーク運用状況表示装置。
【発明の詳細な説明】
【０００１】
【発明の属する技術分野】
本発明は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ  ）やＶｏＩＰ（Ｖｏｉｃｅ  ｏｖｅｒ  Ｉｎｔｅｒｎｅｔ  Ｐｒｏｔｏｃｏｌ）などのネットワークサービスの運用管理において、仮想ネットワークと下位レイヤの物理ネットワークとの関連を管理し、ネットワーク障害発生時の影響範囲の切り分けなどにおいて、障害箇所のネットワーク要素をひと目で把握することができるように表示する仮想ネットワーク運用状況表示装置に関する。
【０００２】
【従来の技術】
従来のネットワーク監視装置は、物理レイヤ及びその上位レイヤの複数のレイヤから成るネットワークに対して、その単一レイヤネットワークの運用情況を、２次元表示のマップ上に、各ネットワーク要素のアイコンを連結線で連結したイメージにより表示し、物理レイヤ又はその上位レイヤのネットワークに障害が発生した場合、障害箇所のネットワーク要素を、そのアイコンの色を変えたり、アイコンを点滅表示することにより、ネットワーク運用者に通知していた。
【０００３】
従来のネットワーク監視装置のシステム構成を図１４に示す。また、従来のネットワーク監視装置の２次元表示によるマップイメージを図１５に示す。図１４に示すネットワーク監視装置のシステム構成において、運用状況表示部１４−１は、物理レイヤ又はその上位レイヤの単一レイヤネットワークサービスの運用状況を、図１５に示すように２次元表示のマップ上に表示する。
【０００４】
運用状況表示部１４−１は、障害の発生又は復旧を障害管理部１４−２から通知を受けたとき、又は物理レイヤ若しくはその上位レイヤのネットワーク構成が変更されたことを構成情報管理部１４−３から通知を受けたとき、それに応じてネットワークの運用情況の表示を更新する。
【０００５】
障害管理部１４−２は、ネットワーク障害管理部１４−２１により、物理レイヤ又はその上位レイヤのネットワークの障害状態を管理し、状態変化を検出したときに運用状況表示部１４−１へその旨を通知する。また、構成情報管理部１４−３より、管理対象のネットワーク構成の変更通知を受けたとき、その内容に合わせて監視対象を変更する。
【０００６】
構成情報管理部１４−３は、ネットワーク構成情報管理部１４−３１により、物理レイヤ又はその上位レイヤのネットワークの構成情報を管理し、該ネットワーク構成情報データベースを記憶手段１４−３２に保持し、該ネットワーク構成が変更されたときは、その旨を運用状況表示部１４−１及び障害管理部１４−２に通知する。なお、図１４において、１４−４は物理レイヤ及びその上位レイヤから成る監視対象ネットワークである。
【０００７】
ネットワーク運用状況の表示は図１５に示すように、２次元表示マップ上に、物理レイヤ又はその上位レイヤのネットワークを構成する各ネットワーク要素をアイコン１５−１で表示し、各ネットワーク要素間を接続する中継線を、各アイコン１５−１間に施した連結線１５−２により表示する。
【０００８】
そして、例えば、警告状態のネットワーク要素のアイコン１５−１’を黄色等（同図においては斜線模様を施している。）のように色を変えて表示し、また、障害状態のネットワーク要素のアイコン１５−１”を、赤色等に色を変えたり点滅（同図においては網目模様を施している。）させるなどにより、他のネットワーク要素のアイコンと区別し得るように表示していた。
【０００９】
本発明に関連する他の先行技術として、下記の特許文献１に記載された「ネットワーク構成図表示方法およびシステム」及び特許文献２に記載された「階層型ネットワーク構成表示方式」等がある。これらの文献に開示されたネットワーク構成表示手段は、何れもネットワーク構成を２次元平面上のマップに表示するものである。
【００１０】
【特許文献１】
特開２００１−３０８８７３号公報
【特許文献２】
特開平４−２６６２４９号公報
【００１１】
【発明が解決しようとする課題】
従来のネットワーク監視装置では、単一レイヤのネットワークの運用情況を２次元表示していたため、物理レイヤネットワークについてのネットワーク監視装置では、発生したネットワーク障害が上位レイヤのどの仮想ネットワークに影響を及ぼすかを表示することができない。
【００１２】
また、ＩＰ（Ｉｎｔｅｒｎｅｔ  Ｐｒｏｔｏｃｏｌ  ）ネットワークなどの中間／上位レイヤのネットワークについてのネットワーク監視装置では、物理レイヤのネットワーク構成情報を表示することができず、物理レイヤネットワーク装置の問題個所を特定するができない、といった問題があった。
【００１３】
また、ネットワーク規模の拡大に伴い、１つの監視システムにより数千〜数万のネットワーク要素を監視する必要がある場合があり、そのため、数千〜数万のネットワーク要素からなるネットワーク構成を表示する際に、マップ表示の度にそれらのネットワーク構成情報を基に描画表示処理を行っていたため、表示に多大な時間を要し、操作性が悪いという問題があった。
【００１４】
本発明は、複数のレイヤから成るネットワークの構成を容易に把握することができるようにネットワーク構成を表示し、下位レイヤのネットワーク装置の障害により影響を受ける上位レイヤの仮想ネットワークの範囲、及び上位レイヤの仮想ネットワークの障害に関係する下位レイヤのネットワーク装置を一目瞭然に表示し、ネットワークの問題個所を容易に特定するができ、また、それらの表示を短時間で表示することができる仮想ネットワーク運用状況表示装置を提供することを目的とする。
【００１５】
【課題を解決するための手段】
本発明の仮想ネットワーク運用状況表示装置は、（１）下位レイヤのネットワークの構成情報と上位レイヤのネットワークの構成情報とを保持する構成情報保持手段と、該構成情報に基づいて下位レイヤのネットワーク構成を２次元平面のマップ上に配置したイメージで表示し、上位レイヤのネットワークの構成を３次元空間に配置したイメージで表示し、該下位レイヤ及び上位レイヤのネットワーク構成を、同一の３次元空間を表示する表示画面上に混在させて表示し、かつ、下位レイヤの各ネットワーク要素と上位レイヤの各ネットワーク要素との間で、相互に関連するネットワーク要素同士を、前記表示画面上で連結線により連結して表示するネットワーク構成表示手段と、を備えたものである。
【００１６】
また、（２）前記下位レイヤのネットワーク要素の障害を検出したとき、該障害の影響が及ぶ前記上位レイヤのネットワーク要素との間の連結線を、他の連結線と異なる色に変化させ、又は点滅させて表示する手段を備えたものである。
【００１７】
また、（３）前記表示画面上の下位レイヤの各ネットワーク要素及び上位レイヤの各ネットワーク要素のうち、ポインティングデバイスのカーソルにより選択された任意のネットワーク要素に対して、該ネットワーク要素に関連する対向側レイヤのネットワーク要素を、他のネットワーク要素の表示と異なる態様で表示する手段を備えたものである。
【００１８】
また、（４）前記表示画面上の上位レイヤの各ネットワーク要素のうち、ポインティングデバイスのカーソルにより選択された任意のネットワーク要素に対して、該ネットワーク要素に関連する下位レイヤのネットワーク要素を、元々の表示色より暗い色を用いて表示する手段を備えたものである。
【００１９】
また、（５）前記２次元平面のマップ上に配置した下位レイヤのネットワーク構成のイメージデータを予め作成し保持しておく手段を備え、前記ネットワーク構成表示手段は、該保持された下位レイヤのネットワーク構成のイメージデータを用いて、下位レイヤ及び上位レイヤのネットワーク構成を前記表示画面上に混在させて表示することを特徴とする。
【００２０】
【発明の実施の形態】
図１に本発明のネットワーク監視装置のシステム構成を示す。同図に示すシステム構成において、運用状況表示部１−１はネットワークサービスの運用状況を表示し、複数の異なるレイヤにおける運用状況を同時に表示する。上位レイヤネットワークの運用状況を３次元表示イメージで、下位レイヤネットワークの運用状況を２次元表示イメージで、同一表示部の３次元表示画面上に表示する。
【００２１】
上位レイヤネットワークの３次元表示イメージの描画は、構成情報管理部１−４からネットワーク構成情報を入手して作成する。下位レイヤの２次元表示イメージの描画は、２次元表示イメージ管理部１−２により管理されている該下位レイヤ部についてのイメージデータファイルの内容をそのまま使用する。
【００２２】
運用状況表示部１−１は、ネットワーク障害の発生又は復旧により、上位レイヤの仮想ネットワークの運用について構成状態に変更があったことを、障害管理部１−３から通知を受けたとき、又は上位レイヤの仮想ネットワーク構成が変更されたことを、構成情報管理部１−４から通知を受けたときは、その変更を表示するために、上位レイヤネットワークの３次元表示イメージの該当する構成部分を更新する。
【００２３】
また、運用状況表示部１−１は、ネットワーク障害の発生又は復旧により、下位レイヤのネットワークの運用について構成状態に変更があったとき、又は下位レイヤのネットワーク構成が変更されたときは、２次元表示イメージ管理部１−２から、イメージデータファイルの内容が変更された旨の通知を受ける。その通知を受けたとき、下位レイヤネットワークの２次元表示イメージを最新のものに差し替える。
【００２４】
２次元表示イメージ管理部１−２は、下位レイヤネットワーク構成の２次元表示イメージデータを、イメージデータ管理部１−２１により管理する。そのイメージデータファイルは、ｐｎｇ（ｐｏｒｔａｂｌｅ  ｎｅｔｗｏｒｋ  ｇｒａｐｈｉｃｓ  ）やｊｐｅｇ（ｊｏｉｎｔ  ｐｈｏｔｏｇｒａｐｈｉｃ  ｅｘｐｅｒｔｓ  ｇｒｏｕｐ）等のファイル形式で記憶手段１−２２により保持する。
【００２５】
また、２次元表示イメージ管理部１−２は、ネットワーク障害の発生又は復旧により、ネットワークの運用について構成状態に変更があったことを障害管理部１−３から通知を受けたとき、又はネットワーク構成が変更されたことを構成情報管理部１−４から通知を受けたときは、その変更を２次元表示イメージデータに反映してイメージデータファイルを更新し、該イメージデータファイルを運用状況表示部１−１に送出する。ネットワーク構成を、ドメインの概念を導入して管理する場合、ドメイン毎にイメージデータファイルを用意する。
【００２６】
障害管理部１−３は、ネットワークの障害状態を管理し、仮想ネットワーク障害管理部１−３１及び物理ネットワーク障害管理部１−３２により、それぞれ、上位レイヤの仮想ネットワーク及び下位の物理レイヤネットワークの状態を監視する。
【００２７】
そして、ネットワーク障害による状態変化を検出すると、運用状況表示部１−１及び２次元表示イメージ管理部１−２へその旨を通知する。また、構成情報管理部１−４から、管理対象の物理レイヤネットワーク構成又は仮想ネットワークの構成変更の通知を受けたとき、その内容に合わせて監視対象のネットワークを変更する。
【００２８】
構成情報管理部１−４は、監視対象ネットワーク１４−４の構成情報を管理し、仮想ネットワーク構成情報管理部１−４１及び物理ネットワーク構成情報管理部１−４２により、それぞれ、上位レイヤの仮想ネットワーク及び下位レイヤの物理ネットワークの構成情報を管理を管理する。
【００２９】
上位レイヤの仮想ネットワーク構成情報及び下位レイヤの物理ネットワーク構成情報は、それぞれ、記憶手段１−４３及び１−４４により保持する。構成情報管理部１−４は、監視対象ネットワーク１４−４の構成に変更があったときは、その旨を運用状況表示部１−１、障害管理部１−３及び２次元表示イメージ管理部１−２に通知する。
【００３０】
なお、ネットワーク監視装置のシステム構成に、クライアント−サーバ型のシステム構成を採用した場合は、２次元表示イメージ管理部１−２、障害管理部１−３及び構成情報管理部１−４をサーバ装置に置き、運用状況表示部１−１をクライアント装置に置く構成とすることができる。
【００３１】
ここで、構成情報管理部１−４における物理レイヤネットワーク構成情報データベースのスキーマの概要を図２に示す。また、上位レイヤの仮想ネットワークモデルと下位レイヤの物理ネットワークモデルの依存関係を図３に示す。仮想ネットワーク構成情報データベースは、仮想ネットワークの種類（ＶＰＮ、ＶｏＩＰ、ＡＴＭ、ＭＰＬＳ、ＩＰネットワークなど）によって異なり、物理ネットワーク構成情報データベースの各エンティティとは一方向の関係で管理される。例として、ＶＰＮについての仮想ネットワーク構成情報データベースのスキーマの概要を図４に示す。
【００３２】
本発明によるネットワーク運用状況表示のマップイメージを図５に示す。同図に示すように、上位レイヤのネットワークの運用状況を、３次元イメージで立体的に表示し（同図では円筒形及び三角柱のアイコンで表示している）、下位レイヤのネットワークの運用状況を、２次元の平面５−２上に配置したイメージにより表示し（同図では平行四辺形のアイコンで表示している）、かつ、上位レイヤのネットワークと下位レイヤのネットワークとを、同一表示画面５−１上に表示し、両レイヤ間の関連するネットワーク要素を、同図示すように例えば破線等の連結線により繋いで連係関係を表示する。
【００３３】
なお、表示画面５−１上で、各ネットワーク要素のアイコン同士が多少重なり合って見にくくなった場合に、ネットワーク運用者は、ポインティングデバイスを用いてそのアイコンをドラッグするなどしてずらす操作を行うことにより、重ならないように表示する構成とすることができる。
【００３４】
図６に本発明によるマップ表示のシーケンスを示す。同図に示すようにまず、ユーザ（ネットワーク運用者）からの運用状況表示依頼が運用状況表示部１−１に通知される（ステップＳ１）。運用状況表示部１−１は、構成情報管理部１−４に上位レイヤネットワークの構成情報の取得を要求する（ステップＳ２）。
【００３５】
構成情報管理部１−４は、該構成情報の取得要求により、運用状況表示部１−１に上位レイヤネットワークの構成情報を通知する（ステップＳ３）。運用状況表示部１−１は、障害管理部１−３に対して、障害の発生又は復旧によるネットワークの運用について状態変更についての問い合わせを行う（ステップＳ４）。障害管理部１−３は、該問い合わせに対して、ネットワークの運用状態を通知する（ステップＳ５）。
【００３６】
運用状況表示部１−１は、ネットワーク構成情報を基に、上位レイヤネットワークの３次元表示イメージを作成する（ステップＳ６）。また、運用状況表示部１−１は、２次元表示イメージ管理部１−２に、下位レイヤネットワークの２次元表示イメージデータの取得を要求する（ステップＳ７）。２次元表示イメージ管理部１−２は、該データ取得要求により、運用状況表示部１−１に、下位レイヤネットワークの２次元表示イメージデータを通知する（ステップＳ８）。
【００３７】
運用状況表示部１−１は、先に作成した上位レイヤネットワークの３次元表示イメージと、下位レイヤネットワークの２次元表示イメージとを合成する（ステップＳ９）。運用状況表示部１−１は、該合成した上位レイヤネットワーク及び下位レイヤネットワークの運用状況を表示する（ステップＳ１０）。
【００３８】
【実施例】
以下に、仮想ネットワークとしてＶＰＮを例に、本発明の実施例について説明する。図７にＶＰＮによるネットワークサービス提供の構成例を示す。同図に示すように、物理ネットワーク７−３上に、Ａ社向けＶＰＮ（７−１）とＢ社向けＶＰＮ（７−２）とが存在し、これらのネットワークの運用を管理するものとする。
【００３９】
Ａ社向けＶＰＮ（７−１）は、物理ネットワークのノードＮ３，Ｎ４，Ｎ５を使用し、本社、支社１、支社２間にネットワークサービスを提供する。Ｂ社向けＶＰＮ（７−２）は、同様に物理ネットワークのノードＮ１，Ｎ２，Ｎ３を使用し、本社、支社１、支社２間にネットワークサービスを提供する。
【００４０】
ＶＰＮを仮想ネットワークの一要素と定義すると、Ａ社向けＶＰＮ（７−１）及びＢ社向けＶＰＮ（７−２）は、それぞれ、図８の（ａ）、（ｂ）に示すように、仮想ネットワークのネットワーク要素ＶＰＮ−Ａ，ＶＰＮ−Ｂにより、各本社、支社間を接続するネットワークとして表すことができる。
【００４１】
前述のＶＰＮによるネットワークサービスの運用状況は、図９に示すように、上位レイヤ仮想ネットワークのＡ社向け及びＢ社向けＶＰＮの運用状況を、３次元イメージで立体的に表示し、下位レイヤ物理ネットワークの運用状況を、２次元平面上のマップに配置したイメージにより表示する。
【００４２】
そして、上位レイヤ仮想ネットワークのＡ社向け及びＢ社向けのＶＰＮと下位レイヤ物理ネットワークとの連係するネットワーク要素間を、同図示すように、破線等の連結線により繋いで連係関係を表示する。こうすることにより、下位レイヤ物理ネットワークの構成と上位レイヤのＶＰＮサービスネットワークの構成との関係を、ネットワーク運用者が一目で容易に把握することができる。
【００４３】
ここで一例として、３次元イメージで表現した上位レイヤのＶＰＮサービスの運用中に、下位レイヤのノードＮ４に障害が発生し、Ａ社のＶＰＮにおいてＡ社の支社２との通信が不能になった場合、図１０に示すように、障害ノードＮ４と、該ノードＮ４に連係する上位レイヤのネットワーク要素と、その連係を示す連結線とを、色の変化又は点滅により、他と異なる態様で表示する。
【００４４】
この表示を一目見ることにより、ネットワーク運用者は以下のことを把握することができる。
（ｉ）物理ネットワークのノードＮ４に障害が発生したこと。
（ｉｉ）物理ネットワークのノードＮ４の障害により、Ａ社向けＶＰＮサービスに影響が出て、Ａ社の支社２に通信障害が起きている状態であること。
（ｉｉｉ  ）物理ネットワークのノードＮ４の障害に関して、Ｂ社向けＶＰＮサービスには影響が出てないこと。
【００４５】
前述の仮想ネットワークの運用状況表示において、上位レイヤのネットワーク要素と下位レイヤのネットワーク要素との対応関係が、多対多となり、要素数が増えて対応関係がより複雑になると、レイヤ間の連係を示す連結線の本数が増大し、ネットワーク要素間の連係関係の表示が込み入ったものとなるため、ネットワーク運用者は、前述の仮想ネットワークの運用状況表示を一目見ても、その構成の把握が困難なものとなる。
【００４６】
そのような場合、障害箇所の連結線を色の変化又は点滅により表示する構成に代えて、図１１及び図１２に示すように、特定の着目するネットワーク要素のアイコンを、ポインティングデバイスのカーソルにより選択すると、該ネットワーク要素とそれに連係する対抗側レイヤのネットワーク要素とを、強調表示（点滅、反転等）することにより、明瞭に連係関係を表示する構成とすることができる。
【００４７】
図１１は、Ａ社向けＶＰＮの本社のネットワーク要素（ＶＰＮ−Ａ社）をカーソル等のポインタにより選択した場合を示し、該ネットワーク要素（ＶＰＮ−Ａ社）に関連する物理レイヤのネットワーク装置Ｎ３，Ｎ４，Ｎ５を強調表示（同図では太枠線で囲んで示している。）する例を示している。
【００４８】
また、図１２は、物理レイヤのネットワーク装置Ｎ４をカーソル等のポインタにより選択した場合に、該ネットワーク装置Ｎ４により影響を受けるＡ社向けＶＰＮの本社及び支社２のネットワーク要素を強調表示（同図では太枠線で囲んで示している。）する例を示している。
【００４９】
また、特定の着目するネットワーク要素とそれに連係する対抗側レイヤのネットワーク要素とを、図１１又は図１２に示すように強調表示する構成に代えて、図１３に示すように、特定の着目する上位レイヤの３次元表示イメージ上のネットワーク要素を、例えば太陽マークのカーソル等のポインタにより選択すると、下位レイヤの２次元マップイメージ上に表示されている下位レイヤネットワークの連係装置の表示色を、元々の表示色に比べて暗い色に変化させることにより、あたかも選択した特定の３次元表示イメージのネットワーク要素の影が、２次元マップイメージ上に映っているかのように表示する。
【００５０】
このような構成とすることにより、上位レイヤのネットワーク要素と下位レイヤのネットワーク要素との連係が一目瞭然表示される。なお，図１１、図１２及び図１３において、障害発生中のネットワーク要素は、図１０と同様に、そのアイコンの色を赤など他の要素と異なる色に変化させて表示する。
【００５１】
（付記１）  下位レイヤのネットワークの構成情報と上位レイヤのネットワークの構成情報とを保持する構成情報保持手段と、
該構成情報に基づいて下位レイヤのネットワーク構成を２次元平面のマップ上に配置したイメージで表示し、上位レイヤのネットワークの構成を３次元空間に配置したイメージで表示し、該下位レイヤ及び上位レイヤのネットワーク構成を、同一の３次元空間を表示する表示画面上に混在させて表示し、かつ、下位レイヤの各ネットワーク要素と上位レイヤの各ネットワーク要素との間で、相互に関連するネットワーク要素同士を、前記表示画面上で連結線により連結して表示するネットワーク構成表示手段と、
を備えたことを特徴とする仮想ネットワーク運用状況表示装置。
（付記２）  前記下位レイヤのネットワーク要素の障害を検出したとき、該障害の影響が及ぶ前記上位レイヤのネットワーク要素との間の連結線を、他の連結線と異なる色に変化させ、又は点滅させて表示する手段を備えたことを特徴とする付記１に記載の仮想ネットワーク運用状況表示装置。
（付記３）  前記表示画面上の下位レイヤの各ネットワーク要素及び上位レイヤの各ネットワーク要素のうち、ポインティングデバイスのカーソルにより選択された任意のネットワーク要素に対して、該ネットワーク要素に関連する対向側レイヤのネットワーク要素を、他のネットワーク要素の表示と異なる態様で表示する手段を備えたことを特徴とする付記１に記載の仮想ネットワーク運用状況表示装置。
（付記４）  前記表示画面上の下位レイヤの各ネットワーク要素及び上位レイヤの各ネットワーク要素のうち、ポインティングデバイスのカーソルにより選択された任意のネットワーク要素に対して、該ネットワーク要素に関連する対向側レイヤのネットワーク要素を、反転表示又は点滅表示など他のネットワーク要素の表示と異なる態様で強調表示する手段を備えたことを特徴とする付記１に記載の仮想ネットワーク運用状況表示装置。
（付記５）  前記表示画面上の上位レイヤの各ネットワーク要素のうち、ポインティングデバイスのカーソルにより選択された任意のネットワーク要素に対して、該ネットワーク要素に関連する下位レイヤのネットワーク要素を、元々の表示色より暗い色を用いて表示する手段を備えたことを特徴とする付記１に記載の仮想ネットワーク運用状況表示装置。
（付記６）  前記２次元平面のマップ上に配置した下位レイヤのネットワーク構成のイメージデータを予め作成し保持しておく手段を備え、前記ネットワーク構成表示手段は、該保持された下位レイヤのネットワーク構成のイメージデータを用いて、下位レイヤ及び上位レイヤのネットワーク構成を前記表示画面上に混在させて表示することを特徴とする付記１乃至５の何れかに記載の仮想ネットワーク運用状況表示装置。
（付記７）  前記下位レイヤのネットワークの構成として、物理レイヤネットワークの構成を表示することを特徴とする付記１乃至６の何れかに記載の仮想ネットワーク運用状況表示装置。
【００５２】
【発明の効果】
以上説明したように、本発明によれば、下位レイヤのネットワーク構成を２次元平面のマップ上に配置したイメージで表示し、上位レイヤのネットワークの構成を３次元空間に配置したイメージで表示し、該下位レイヤ及び上位レイヤのネットワーク構成を、同一の３次元空間を表示する表示画面上に混在させて表示するとともに、下位レイヤの各ネットワーク要素と上位レイヤの各ネットワーク要素との間で相互に関連するネットワーク要素同士を、該表示画面上で連結線により連結して表示することにより、上位レイヤのネットワーク要素と下位レイヤのネットワーク要素とが、同一表示画面上に区別されて表示されるとともに、ネットワーク運用者は、複数のレイヤから成るネットワークの構成及びその結合関係を容易に把握することができる。
【００５３】
また、下位レイヤのネットワーク要素に障害が発生した場合に、該障害発生ネットワーク要素、及び該障害により影響を受ける上位レイヤのネットワーク要素が識別されるように表示することにより、下位レイヤのネットワーク要素に発生した障害による上位レイヤのネットワークサービスへの影響範囲を容易に把握することができ、また、上位レイヤのネットワーク要素の障害発生時に、該障害に関連する下位レイヤのネットワーク要素を表示することにより、問題個所のネットワーク要素の特定を容易に行うことができる。
【００５４】
また、２次元平面のマップ上に配置した下位レイヤのネットワーク構成のイメージデータを予め１枚の画像データとして作成しておくことにより、システム負荷が重い３次元イメージ表示処理の負荷を削減することができる。下位レイヤネットワークは上位レイヤネットワークに比べて要素数が多く（最下位レイヤの物理ネットワークにおいては数千〜数万）、下位レイヤの２次元平面マップを１枚の画像データとして作成しておくことにより、システム負荷を大幅に軽減することができる。
【００５５】
なお、クライアント−サーバ型のシステム構成を採用した場合、サーバ上で前述の２次元平面マップを作成し、ネットワーク構成要素等のアイコンイメージをサーバ上で管理することにより、システム負荷が軽減され、また、アイコンの変更、追加を容易に行うことができる。
【図面の簡単な説明】
【図１】本発明のネットワーク監視装置のシステム構成を示す図である。
【図２】物理レイヤネットワーク構成情報データベースのスキーマの概要を示す図である。
【図３】仮想ネットワークモデルと物理ネットワークモデルの依存関係を示す図である。
【図４】仮想ネットワーク構成情報データベースのスキーマの概要を示す図である。
【図５】本発明によるネットワーク運用状況表示のマップイメージを示す図である。
【図６】本発明によるマップ表示のシーケンスを示す図である。
【図７】ＶＰＮによるネットワークサービス提供の構成例を示す図である。
【図８】ＶＰＮによる仮想ネットワークの構成例を示す図である。
【図９】本発明によるネットワークサービスの運用状況の表示例を示す図である。
【図１０】本発明による障害発生時のネットワーク運用状況の表示例を示す図である。
【図１１】本発明による関連ネットワーク要素の強調表示の例を示す図である。
【図１２】本発明による関連ネットワーク要素の強調表示の例を示す図である。
【図１３】本発明による関連ネットワーク要素の陰影表示の例を示す図である。
【図１４】従来のネットワーク監視装置のシステム構成を示す図である。
【図１５】従来のネットワーク監視装置の２次元表示によるマップイメージを示す図である。
【符号の説明】
１−１  運用状況表示部
１−２  ２次元表示イメージ管理部
１−２１  イメージデータ管理部
１−２２  記イメージデータファイルの憶手段
１−３  障害管理部
１−３１  仮想ネットワーク障害管理部
１−３２  物理ネットワーク障害管理部
１−４  構成情報管理部
１−４１  仮想ネットワーク構成情報管理部
１−４２  物理ネットワーク構成情報管理部
１−４３  仮想ネットワーク構成情報の記憶手段
１−４４  物理ネットワーク構成情報の記憶手段
１４−４  監視対象ネットワーク
【図１】
2004222105.tif 000003
【図２】
2004222105.tif 000004
【図３】
2004222105.tif 000005
【図４】
2004222105.tif 000006
【図５】
2004222105.tif 000007
【図６】
2004222105.tif 000008
【図７】
2004222105.tif 000009
【図８】
2004222105.tif 000010
【図９】
2004222105.tif 000011
【図１０】
2004222105.tif 000012
【図１１】
2004222105.tif 000013
【図１２】
2004222105.tif 000014
【図１３】
2004222105.tif 000015
【図１４】
2004222105.tif 000016
【図１５】
2004222105.tif 000017